(57)【要約】【課題】  無線通信空間において各ユーザが興味ある通信相手の表情を見ながら通信相手と会話を行なうことが可能な無線通信システムを提供する。【解決手段】  無線通信システム１００は、無線通信空間５０に配置された端末装置１０，２０，３０を備える。各端末装置１０，２０，３０において、エージェント４はユーザ間の興味の類似度を演算する。リソース管理部１は、演算された類似度に応じてユーザ間の興味の近さを示す親和度を演算し、その演算した親和度に応じて各通信相手との通信品質を決定する。通信調整部５１，６１は、リソース管理部１が決定した通信品質で動画像データを通信相手の端末装置へ送信する。チャット部７は、通信相手の端末装置と文字データを送受信する。表示部５２，６２は、通信相手の通信調整部５１，６１から受信した動画像データと会話内容とを表示する。【選択図】        図１
2005141300.tif 000002
【特許請求の範囲】
【請求項１】
無線通信空間において相互に文字データおよび動画像データを送受信する複数の端末装置を備える無線通信システムであって、
前記複数の端末装置の各々は、
送信元のユーザである第１のユーザと通信相手の端末装置のユーザである第２のユーザとの間における興味の近さを示す親和度に応じて、通信相手である少なくとも１つの端末装置との通信品質を前記少なくとも１つの端末装置毎に決定する品質決定手段と、
前記少なくとも１つの端末装置に対応して設けられ、各々が前記決定された通信品質に応じた画像品質を有する動画像データを対応する端末装置へ送信する少なくとも１つの画像送信手段と、
前記少なくとも１つの端末装置に対応して設けられ、各々が文字データを対応する端末装置と送受信する少なくとも１つの文字送受信手段と、
前記少なくとも１つの端末装置に対応して設けられ、各々が対応する端末装置から受信した動画像データと、前記第１のユーザと前記第２のユーザとの間の会話内容を示す文字データとを表示する少なくとも１つの表示手段とを備える無線通信システム。
【請求項２】
前記動画像データは、前記第２のユーザの表情を示す動画像データである、請求項１に記載の無線通信システム。
【請求項３】
前記表示手段は、前記親和度が高いほど前記画像品質が高い動画像データを表示する、請求項２に記載の無線通信システム。
【請求項４】
前記第２のユーザは、複数のユーザからなり、
前記表示手段は、前記親和度が高い程、前記画像品質を向上させて前記複数のユーザの表情を示す複数の動画像データを表示する、請求項３に記載の無線通信システム。
【請求項５】
前記表示手段は、前記親和度が高い程、サイズを大きくして前記複数の動画像データを表示する、請求項４に記載の無線通信システム。
【請求項６】
前記表示手段は、前記親和度が高い程、滑らかさを向上させて前記複数の動画像データを表示する、請求項４に記載の無線通信システム。
【請求項７】
前記表示手段は、前記親和度が高い程、サイズを大きくし、かつ、滑らかさを向上させて前記複数の動画像データを表示する、請求項４に記載の無線通信システム。
【請求項８】
前記第２のユーザは、複数のユーザからなり、
前記表示手段は、前記親和度が最も高いユーザの動画像データを表示し、前記最も高い親和度以外の親和度を有するユーザの動画像データを表示しない、請求項３に記載の無線通信システム。
【請求項９】
前記品質決定手段は、前記表示手段によって表示された前記会話内容を示す文字データに基づいて前記第１のユーザと前記第２のユーザとの興味の類似度を演算し、その演算した類似度に基づいて前記親和度を算出する、請求項１から請求項８のいずれかに記載の無線通信システム。
【発明の詳細な説明】
【技術分野】
【０００１】
この発明は、動画像データを表示しながら文字データを相互に送受信する複数の端末装置を備える無線通信システムに関するものである。
【背景技術】
【０００２】
従来、サーバが提供するチャットルームにおいて複数のユーザが相互にチャットするコミュニケーションシステムが知られている（特許文献１）。このコミュニケーションシステムは、サーバと、インターネット、第１から第４のユーザコンピュータとを備える。第１から第４のユーザコンピュータは、インターネットを介してサーバに接続される。
【０００３】
サーバは、チャットルームを第１から第４のユーザコンピュータに対して提供する。そして、第１から第４のユーザコンピュータの第１から第４ユーザは、インターネットを介してチャットルームにおいてチャットする。
【０００４】
第１ユーザが話題に対して沈黙すると、第１のユーザコンピュータは、サーバに情報支援を依頼する。これに応じて、サーバは、第２から第４のユーザコンピュータに対して情報支援依頼を仲介する。そして、情報支援可能な第２から第４のユーザコンピュータのいずれかが第１ユーザが関心ある情報を第１のユーザコンピュータに提供する。
【特許文献１】特開２００３−２３３６１２号公報
【発明の開示】
【発明が解決しようとする課題】
【０００５】
しかし、従来のコミュニケーションシステムにおいては、複数のユーザコンピュータはインターネットを介してサーバに接続されるため、移動体端末およびＰＤＡ（Personal Digital Assistant）等の位置が随時変化する端末装置を用いて、複数のユーザが相互に会話を行なうシステムを構築することが困難であるという問題がある。
【０００６】
そこで、この発明は、かかる問題を解決するためになされたものであり、その目的は、無線通信空間において各ユーザが興味ある通信相手の表情を見ながら通信相手と会話を行なうことが可能な無線通信システムを提供することである。
【課題を解決するための手段】
【０００７】
この発明によれば、無線通信システムは、無線通信空間において相互に文字データおよび動画像データを送受信する複数の端末装置を備える無線通信システムであって、複数の端末装置の各々は、品質決定手段と、少なくとも１つの画像送信手段と、少なくとも１つの文字送受信手段と、少なくとも１つの表示手段とを備える。品質決定手段は、送信元のユーザである第１のユーザと通信相手の端末装置のユーザである第２のユーザとの間における興味の近さを示す親和度に応じて、通信相手である少なくとも１つの端末装置との通信品質を少なくとも１つの端末装置毎に決定する。少なくとも１つの画像送信手段は、通信相手である少なくとも１つの端末装置に対応して設けられ、各々が決定された通信品質に応じた画像品質を有する動画像データを対応する端末装置へ送信する。少なくとも１つの文字送受信手段は、少なくとも１つの端末装置に対応して設けられ、各々が文字データを対応する端末装置と送受信する。少なくとも１つの表示手段は、少なくとも１つの端末装置に対応して設けられ、各々が対応する端末装置から受信した動画像データと、第１のユーザと第２のユーザとの間の会話内容を示す文字データとを表示する。
【０００８】
好ましくは、動画像データは、第２のユーザの表情を示す動画像データである。
【０００９】
好ましくは、表示手段は、親和度が高いほど画像品質が高い動画像データを表示する。
【００１０】
好ましくは、第２のユーザは、複数のユーザからなる。そして、表示手段は、親和度が高い程、画像品質を向上させて複数のユーザの表情を示す複数の動画像データを表示する。
【００１１】
好ましくは、表示手段は、親和度が高い程、サイズを大きくして複数の動画像データを表示する。
【００１２】
好ましくは、表示手段は、親和度が高い程、滑らかさを向上させて複数の動画像データを表示する。
【００１３】
好ましくは、表示手段は、親和度が高い程、サイズを大きくし、かつ、滑らかさを向上させて複数の動画像データを表示する。
【００１４】
好ましくは、第２のユーザは、複数のユーザからなる。そして、表示手段は、親和度が最も高いユーザの動画像データを表示し、最も高い親和度以外の親和度を有するユーザの動画像データを表示しない。
【００１５】
好ましくは、品質決定手段は、表示手段によって表示された会話内容を示す文字データに基づいて第１のユーザと第２のユーザとの興味の類似度を演算し、その演算した類似度に基づいて親和度を算出する。
【発明の効果】
【００１６】
この発明による無線通信システムにおいては、複数のユーザ間で興味の近さを示す親和度が演算され、その演算された親和度に基づいて動画像データの通信品質が決定される。そして、動画像データは、決定された通信品質で送受信される。また、文字データは、端末装置間で送受信される。各ユーザの端末装置は、親和度に応じた画像品質の動画像データと、会話内容とを通信相手の端末装置から独立に受信し、通信相手の動画像データと通信相手との会話内容とを独立に表示する。
【００１７】
従って、この発明によれば、各ユーザは、親和度に応じて通信相手の動画像データの画像品質を変えながら通信相手と会話できる。
【発明を実施するための最良の形態】
【００１８】
本発明の実施の形態について図面を参照しながら詳細に説明する。なお、図中同一または相当部分には同一符号を付してその説明を繰返さない。
【００１９】
図１は、この発明の実施の形態による無線通信システムの概略ブロック図である。無線通信システム１００は、無線通信空間５０に配置された端末装置１０，２０，３０からなる。そして、端末装置１０，２０，３０は、アドホックネットワーク上で自律分散型のシステムを構成し、後述する方法によって、文字データ及び動画像データを相互に送受信する。
【００２０】
端末装置１０，２０，３０は、それぞれ、カメラ１１，２１，３１と接続される。端末装置１０，２０，３０の各々は、リソース管理部（ＲＭ：Resource  Manager）１と、文字入力部２と、動画調整部（ＭＣＵ：Media  Coordination  Unit）３と、エージェント（Agent）４と、データ処理部５，６と、チャット部（ＣＵ：Chat  Unit）７とを備える。データ処理部５は、通信調整部（ＣＣＵ：Communication  Coordination  Unit）５１と、表示部（ＤＵ：Display  Unit）５２とを含む。また、データ処理部６は、通信調整部（ＣＣＵ：Communication  Coordination  Unit）６１と、表示部（ＤＵ：Display  Unit）６２とを含む。
【００２１】
端末装置１０のリソース管理部１は、通信相手である端末装置２０に応じてデータ処理部５、即ち、通信調整部５１及び表示部５２を生成し、通信相手である端末装置３０に応じてデータ処理部６、即ち、通信調整部６１及び表示部６２を生成する。
【００２２】
また、端末装置１０のリソース管理部１は、類似度ＤＳＭＬ１，ＤＳＭＬ２をエージェント４から受け、その受けた類似度ＤＳＭＬ１，ＤＳＭＬ２の比ＤＳＭＬ１／ＤＳＭＬ２を演算し、端末装置１０のユーザと端末装置２０のユーザ間における興味の近さを示す親和度ＤＦＲＤ１２と、端末装置１０のユーザと端末装置３０のユーザ間における興味の近さを示す親和度ＤＦＲＤ１３とを決定する。類似度ＤＳＭＬ１２は、端末装置１０のユーザの興味が端末装置２０のユーザの興味と似ている度合いを表し、類似度ＤＳＭＬ１３は、端末装置１０のユーザの興味が端末装置３０のユーザの興味と似ている度合いを表す。
【００２３】
そして、端末装置１０のリソース管理部１は、演算した親和度ＤＦＲＤ１，ＤＦＲＤ２に基づいて、端末装置２０に対する要求通信品質ＤＣＱＢ１２と端末装置３０に対する要求通信品質ＤＣＱＢ１３とを演算する。その後、リソース管理部１は、端末装置１０に対する要求通信品質ＤＣＱ２１を端末装置２０のリソース管理部１から受け、端末装置１０に対する要求通信品質ＤＣＱ３１を端末装置３０のリソース管理部１から受ける。そして、リソース管理部１は、演算した要求通信品質ＤＣＱＢ１２及びＤＣＱＢ１３と、端末装置２０，３０からそれぞれ受けた要求通信品質ＤＣＱ２１，ＤＣＱ３１とに基づいて、既に演算した要求通信品質ＤＣＱＢ１２及びＤＣＱＢ１３を調整し、端末装置２０に対する要求通信品質ＤＣＱ１２と、端末装置３０に対する要求通信品質ＤＣＱ１３と、通信調整部５１，６１へそれぞれ出力する通信品質ＣＭＱ１，ＣＭＱ２とを決定する。
【００２４】
リソース管理部１は、要求通信品質ＤＣＱ１２，ＤＣＱ１３及び通信品質ＣＭＱ１，ＣＭＱ２を決定すると、要求通信品質ＤＣＱ１２を端末装置２０のリソース管理部１へ送信し、要求通信品質ＤＣＱ１３を端末装置３０のリソース管理部１へ送信し、通信品質ＣＱ１及びＣＱ２をそれぞれ通信調整部５１，６１へ出力する。
【００２５】
通信品質ＣＭＱ１は、端末装置１０から端末装置２０へ動画像データを送信する通信品質であり、通信品質ＣＭＱ２は、端末装置１０から端末装置３０へ動画像データを送信する通信品質である。
【００２６】
端末装置１０の文字入力部２は、端末装置１０のユーザによって入力された文字データを受付け、その受付けた文字データをチャット部７へ出力する。端末装置１０の動画調整部３は、カメラ１１が撮影した端末装置１０のユーザの表情を表す動画像データを受け、その受けた動画像データを指定形式に変換して通信調整部５１，６１へ出力する。
【００２７】
端末装置１０のエージェント４は、端末装置１０，２０，３０のユーザ間の会話内容をチャット部７から受け、その受けた会話内容に基づいて、類似度ＤＳＭＬ１，ＤＳＭＬ２を演算する。そして、エージェント４は、その演算した類似度ＤＳＭＬ１，ＤＳＭＬ２をリソース管理部１へ出力する。
【００２８】
類似度ＤＳＭＬ１，ＤＳＭＬ２の演算方法について説明する。エージェント４は、端末装置１０のユーザと端末装置２０のユーザとの間の会話内容をチャット部７から取得し、その取得した会話内容から端末装置１０のユーザが話した内容のキーワードと、端末装置２０のユーザが話した内容のキーワードとを公知の形態素解析によって抽出する。そして、エージェント４は、抽出した端末装置１０のユーザのキーワードの集合を集合Ａとし、抽出した端末装置２０のユーザのキーワードの集合を集合Ｂとして記憶する。集合Ａ，Ｂを抽出すると、エージェント４は、次式により類似度ＤＳＭＬ１を演算する。
【００２９】
類似度＝｜Ａ∩Ｂ｜／（｜Ａ｜１／２・｜Ｂ｜１／２）・・・（１）
エージェント４は、同様にして、端末装置１０のユーザと端末装置３０のユーザとの間の会話内容をチャット部７から取得し、その取得した会話内容から端末装置１０のユーザが話した内容のキーワードと、端末装置３０のユーザが話した内容のキーワードとを公知の形態素解析によって抽出する。端末装置１０，２０，３０の３人のユーザがチャットにより会話しているとき、端末装置１０のユーザのキーワードは、上述した集合Ａと同じである。したがって、エージェント４は、抽出した端末装置３０のユーザのキーワードの集合を集合Ｃとして記憶する。集合Ｃを抽出すると、エージェント４は、式（１）の集合Ｂの代わりに集合Ｃを用いて類似度ＤＳＭＬ２を演算する。
【００３０】
端末装置１０のデータ処理部５は、端末装置１０の通信相手である端末装置２０に対応して設けられる。また、端末装置１０のデータ処理部６は、端末装置１０の通信相手である端末装置３０に対応して設けられる。
【００３１】
端末装置１０の通信調整部５１は、動画調整部３から受けた動画像データの画像品質をリソース管理部１からの通信品質ＣＭＱ１に応じて変換し、その変換した画像品質で動画像データを端末装置２０の表示部５２へ送信する。
【００３２】
端末装置１０の表示部５２は、端末装置２０の通信調整部５１から受けた動画像データを表示する。
【００３３】
端末装置１０の通信調整部６１は、動画調整部３から受けた動画像データの画像品質をリソース管理部１からの通信品質ＣＭＱ２に応じて変換し、その変換した画像品質で動画像データを端末装置３０の表示部６２へ送信する。
【００３４】
端末装置１０の表示部６２は、端末装置３０の通信調整部６１から受けた動画像データを表示する。
【００３５】
端末装置１０のチャット部７は、文字入力部２から文字データを受け、その受けた文字データを表示するとともに、端末装置２０，３０のチャット部７へ送信する。
【００３６】
端末装置２０，３０のリソース管理部１、文字入力部２、動画調整部３、エージェント４、チャット部７、通信調整部５１，６１及び表示部５２，６２は、上述した端末装置１０のそれぞれリソース管理部１、文字入力部２、動画調整部３、エージェント４、チャット部７、通信調整部５１，６１及び表示部５２，６２と同じ働きをする。
【００３７】
なお、端末装置２０においては、動画調整部３は、カメラ２１に接続され、カメラ２１が撮影した端末装置２０のユーザの動画像データをカメラ２１から受ける。また、端末装置３０においては、動画調整部３は、カメラ３１に接続され、カメラ３１が撮影した端末装置３０のユーザの動画像データをカメラ３１から受ける。
【００３８】
端末装置１０のリソース管理部１における親和度の演算について具体的に説明する。上述したように、リソース管理部１は、エージェント４から類似度ＤＳＭＬ１，２を受ける。そして、リソース管理部１は、２つの類似度ＤＳＭＬ１，２の比ＤＳＭＬ１：ＤＳＭＬ２を演算する。例えば、ＤＳＭＬ１，２がそれぞれ２１，９であるとき、リソース管理部１は、ＤＳＭＬ１：ＤＳＭＬ２＝２１：９＝７：３を演算する。そして、リソース管理部１は、値「７」を端末装置２０のユーザに対する端末装置１０のユーザの親和度ＤＦＲＤ１２とし、値「３」を端末装置３０のユーザに対する端末装置１０のユーザの親和度ＤＦＲＤ１３とする。このように、リソース管理部１は、２つの通信相手である端末装置２０，３０に対する２つの親和度ＤＦＲＤ１２，ＤＦＲＤ１３の和が「１０」となるように、２つの親和度ＤＦＲＤ１２，ＤＦＲＤ１３を演算する。
【００３９】
リソース管理部１は、親和度ＤＦＲＤ１２，ＤＦＲＤ１３を決定すると、その決定した親和度ＤＦＲＤ１２，ＤＦＲＤ１３に基づいて、端末装置２０に対する要求通信品質ＤＣＱＢ１２と端末装置３０に対する要求通信品質ＤＣＱＢ１３とを演算する。また、リソース管理部１は、要求通信品質ＤＣＱ２１を端末装置２０のリソース管理部１から受信し、要求通信品質ＤＣＱ３１を端末装置３０のリソース管理部１から受信する。
【００４０】
そして、端末装置１０のリソース管理部１は、通信相手に対する要求通信品質ＤＣＱＢ１２，ＤＣＱＢ１３と、通信相手からの要求通信品質ＤＣＱ２１，ＤＣＱ３１とを考慮し、要求通信品質ＤＣＱ１２，ＤＣＱ１３、及び通信品質ＣＭＱ１，ＣＭＱ２を決定する。
【００４１】
例えば、要求通信品質ＤＣＱＢ１２が「７」であり、要求通信品質ＤＣＱ２１が「６」であり、要求通信品質ＤＣＱＢ１３が「３」であり、要求通信品質ＤＣＱ３１が「５」である場合、端末装置１０のリソース管理部１は、処理可能なリソースを「２０」とした場合、和が「２０」となるように要求通信品質ＤＣＱ１２，ＤＣＱ１３及び通信品質ＣＭＱ１，ＣＭＱ２をそれぞれ「６」，「４」，「６」，「４」と決定する。
【００４２】
要求通信品質ＤＣＱＢ１２及び要求通信品質ＤＣＱ２１が、それぞれ、「７」，「６」と高く、要求通信品質ＤＣＱＢ１３及び要求通信品質ＤＣＱ３１が、それぞれ、「３」，「５」と低いので、端末装置１０のリソース管理部１は、端末装置２０との通信を重視し、端末装置２０に対する要求通信品質ＤＣＱ１２及び端末装置２０へ動画像データを送信する通信品質ＣＭＱ１をそれぞれ「６」，「６」と決定し、端末装置３０に対する要求通信品質ＤＣＱ１３及び端末装置３０へ動画像データを送信する通信品質ＣＭＱ２をそれぞれ「４」，「４」と決定する。
【００４３】
具体的には、リソース管理部１は、無線通信システム１００における通信のリソースを管理している。即ち、リソース管理部１は、処理可能なデータ及びデータの通信に使用可能な通信帯域を管理しており、上述した方法によって、処理可能なリソースに応じて、要求通信品質ＤＣＱ１２，ＤＣＱ１３及び通信品質ＣＭＱ１，ＣＭＱ２を決定する。
【００４４】
通信品質ＣＭＱ１，ＣＭＱ２が高いとき、処理可能なデータが多く、通信帯域が広くされるので、動画像データは、より多くのデータ量及び広い通信帯域によって端末装置２０，３０へ送信されることになる。即ち、大きいサイズの動画像データ、または、より滑らかな動画像データが端末装置２０，３０へ送信される。
【００４５】
一方、通信品質ＣＭＱ１，ＣＭＱ２が低いとき、処理可能なデータが少なく、通信帯域が狭い状態で良いので、動画像データは、少ないデータ量及び狭い通信帯域によって端末装置２０，３０へ送信されることになる。即ち、小さいサイズの動画像データ、または、滑らかさが低い動画像データが端末装置２０，３０へ送信されることになる。
【００４６】
端末装置２０のリソース管理部１へ送信した要求通信品質ＤＣＱ１２は、端末装置１０の表示部５２が端末装置２０から動画像データを受信するときの通信品質の決定に用いられ、端末装置３０のリソース管理部１へ送信した要求通信品質ＤＣＱ１３は、端末装置１０の表示部６２が端末装置３０から動画像データを受信するときの通信品質の決定に用いられる。そして、要求通信品質ＤＣＱ１２，ＤＣＱ１３は、親和度ＤＦＲＤ１２，ＤＦＲＤ１３に応じて決定される。また、要求通信品質ＤＣＱ２１は、端末装置２０の表示部５２が端末装置１０から動画像データを受信するときの通信品質の決定に用いられ、要求通信品質ＤＣＱ３１は、端末装置３０の表示部６２が端末装置１０から動画像データを受信するときの通信品質の決定に用いられる。そして、要求通信品質ＤＣＱ２１，ＤＣＱ３１は、親和度ＤＦＲＤ２１，ＤＦＲＤ３１に応じて決定される。
【００４７】
従って、この発明は、演算した親和度に応じて端末装置１０，２０，３０間の通信品質を決定し、その決定した通信品質に応じた画像品質で動画像データを相互に送受信することを特徴とする。
【００４８】
図２は、図１に示す端末装置１０の表示画面の模式図である。端末装置２０のユーザに対する端末装置１０のユーザの親和度ＤＦＲＤ１２が端末装置３０のユーザに対する端末装置１０のユーザの親和度ＤＦＲＤ１３と同じである場合、端末装置２０のユーザの表情を表わす動画像データＩＭＧ１及び端末装置３０のユーザの表情を表わす動画像データＩＭＧ２がそれぞれ表示部５２，６２に同じサイズ及び滑らかさで表示される（図２の（ａ）参照）。そして、端末装置１０，２０，３０のユーザの会話内容ＣＶＳも表示される。
【００４９】
親和度ＤＦＲＤ１２が親和度ＤＦＲＤ１３よりも大きい場合、動画像データＩＭＧ１は、動画像データＩＭＧ２よりも大きいサイズ及びより滑らかに表示される（図２の（ｂ），（ｃ）参照）。この場合、親和度ＤＦＲＤ１２と親和度ＤＦＲＤ１３との大小の程度に応じて、動画像データＩＭＧ１，ＩＭＧ２のサイズ及び滑らかさが変えられる。
【００５０】
また、親和度ＤＦＲＤ１２が親和度ＤＦＲＤ１３よりも大きい場合、親和度が大きい端末装置２０のユーザの動画像データＩＭＧ１のみを表示部５２に表示し、親和度が小さい端末装置３０のユーザの動画像データＩＭＧ２を表示部６２に表示しないようにしてもよい。即ち、動画像データＩＭＧ２のサイズを零にしてもよい（図２の（ｄ）参照）。
【００５１】
従って、端末装置１０のユーザは、親和度が大きい端末装置２０のユーザを端末装置１０の表示部５２に大きく写し、端末装置２０のユーザの表情を見ながら、端末装置２０及び３０のユーザとチャットを行なうことができる。
【００５２】
図３は、親和度が変化した場合の端末装置１０，２０，３０の動作を示すフローチャートである。なお、図３に示すフローチャートにおいて、“ＰＣ１”、“ＰＣ２”及び“ＰＣ３”は、それぞれ、端末装置１０，２０，３０を表わす。また、“ＤＵ”は、表示部５２，６２を表わし、“ＣＣＵ”は、通信調整部５１，６１を表わす。更に、端末装置１０，２０，３０が利用可能なリソース量を「２０」としている。
【００５３】
端末装置２０において、端末装置１０，３０のユーザに対する親和度ＤＦＲＤ２１，ＤＦＲＤ２３が変化すると（ステップＳ１）、端末装置２０のリソース管理部１は、端末装置１０のユーザに対する親和度ＤＦＲＤ２１を“７”に設定し、端末装置３０のユーザに対する親和度ＤＦＲＤ２３を“３”に設定する。そして、端末装置２０のリソース管理部１は、端末装置１０に対する要求通信品質ＤＣＱ２１を親和度ＤＦＲＤ２１＝７に応じて“７”に設定し、端末装置２０の通信調整部５１の通信品質を維持する。また、端末装置２０のリソース管理部１は、端末装置３０に対する要求通信品質ＤＣＱ２３を親和度ＤＦＲＤ２３＝３に応じて“３”に設定し、端末装置２０の通信調整部６１の通信品質を維持する（ステップＳ２）。
【００５４】
そして、端末装置２０のリソース管理部１は、通信品質のダウン要求を端末装置３０へ送信し（ステップＳ３）、通信品質のアップ要求を端末装置１０へ送信する（ステップＳ４）。
【００５５】
端末装置３０のリソース管理部１は、通信品質のダウン要求を端末装置２０から受信し（ステップＳ５）、通信調整部５１における通信品質を“５”から“３”に低下させる（ステップＳ６）。
【００５６】
一方、端末装置１０のリソース管理部１は、通信品質のアップ要求を端末装置２０から受信し（ステップＳ７）、通信調整部５１における通信品質を“５”から“６”へ上昇させ、通信調整部６１における通信品質を“５”から“４”へ低下させる（ステップＳ８）。この場合、端末装置１０のリソース管理部１は、通信調整部５１から端末装置２０へ送信する通信品質を“５”から“７”へ上昇させるが、その結果、端末装置２０，３０との動画像データの送受信に用いるリソース量が５＋７＋５＋５＝２２となってリソース量の最大値である“２０”を超えるので、リソース量が最大値を越えないように通信調整部５１における通信品質を“６”に調整し、通信調整部６１における通信品質を“４”に調整する。
【００５７】
そして、端末装置１０のリソース管理部１は、通信調整部６１における通信品質を低下させることになったので、通信品質のダウン要求を端末装置３０のリソース管理部１へ送信する（ステップＳ９）。また、端末装置１０のリソース管理部１は、端末装置２０からの要求通信品質ＤＣＱ２１＝７に応じることができなかったので、通信品質のダウン要求を端末装置２０のリソース管理部１へ送信する（ステップＳ１０）。
【００５８】
端末装置３０のリソース管理部１は、通信品質のダウン要求を端末装置１０から受信し（ステップＳ１１）、表示部６２における通信品質を“５”から“４”に低下させる（ステップＳ１２）。
【００５９】
一方、端末装置２０のリソース管理部１は、通信品質のダウン要求を端末装置１０から受信し（ステップＳ１３）、表示部５２における通信品質を“７”から“６”に低下させる（ステップＳ１４）。これにより、親和度が変化した場合の動作が終了する。
【００６０】
そして、調整された通信品質で端末装置１０，２０，３０間で動画像データの送受信が行なわれ、端末装置１０，２０，３０の各ユーザは、親和度に応じた品質で通信相手の動画像データを自己に端末装置に表示しながら、相互にチャットする。
【００６１】
端末装置２０が端末装置１０から端末装置２０に送信する通信品質を“５”から“７”に上昇させるように要求し（ステップＳ２，Ｓ４参照）、端末装置１０がその要求に応じて、端末装置１０の通信調整部５１から端末装置２０の表示部５２への通信品質を“５”から“６”に上昇させた（ステップＳ８参照）のは、通信品質のアップ要求を受けた場合、表示部５２（ＤＵユニット）よりも通信調整部５１（ＣＣＵユニット）を優先して選択することになっているからである。そして、端末装置１０は、本来、通信品質”７”の要求に応じて、通信調整部５１（ＣＣＵユニット）における通信品質を”７”に設定すべきであるが、通信調整部５１（ＣＣＵユニット）における通信品質を”７”に設定すると、リソース量が５＋７＋５＋５＝２２となってリソース量”２０”を超えるので、通信調整部５１（ＣＣＵユニット）における通信品質を”６”に調整し、通信調整部６１における通信品質を”５”から”４”に低下させた。
【００６２】
一方、この発明においては、各端末装置１０，２０，３０は、ダウン要求を無条件に受け入れることにしているので、端末装置３０は、ステップＳ３における通信品質のダウン要求に対して、端末装置２０へ動画像データを送信する通信調整部５１（ＣＣＵユニット）の通信品質を”３”に低下させ、ステップＳ９における通信品質のダウン要求に対して、表示部５２（ＤＵユニット）の通信品質を”４”に低下させた。また、端末装置２０は、ステップＳ１０における通信品質のダウン要求に対して、表示部５２（ＤＵユニット）の通信品質を”６”に低下させた。
【００６３】
つまり、端末装置１０，２０，３０の各々は、通信相手からの通信品質のアップ要求またはダウン要求に応じて、自己の通信調整部５１，６１及び表示部５２における通信品質を上昇または低下させ、親和度が高い通信相手に対しては高い通信品質で動画像データを送信してくれるように通信相手に要求する。
【００６４】
これにより、端末装置１０，２０，３０の各ユーザは、親和度に応じた通信品質で通信相手の表情を表わす動画像データを自己の端末装置に表示しながら、相互にチャットできる。
【００６５】
また、各端末装置１０，２０，３０の利用率が各ユーザの利用率によって変化し、またはネットワークリソースが通信環境によって変化しても、端末装置１０，２０，３０の各ユーザは、親和度に応じて相手の動画像データの画像品質を変えてチャットすることができる。
【００６６】
なお、上記においては、無線通信システム１００は、３つの端末装置１０，２０，３０によって構成されると説明したが、この発明は、これに限らず、無線通信システム１００は、２以上の端末装置によって構成されていればよい。
【００６７】
また、端末装置１０，２０，３０の各々は、通信相手である２個の端末装置に対応して、通信調整部５１と表示部５２とからなるデータ処理部５と、通信調整部６１と表示部６２とからなるデータ処理部６とを有し、リソース管理部１は、通信相手の端末装置の個数（２個）に応じて、データ処理部５，６（２個のデータ処理部）を生成する。従って、通信相手の端末装置の個数がｎ（ｎは自然数）個である場合、リソース管理部１は、各々が１個の通信調整部と１個の表示部とからなるｎ個のデータ処理部を生成する。
【００６８】
更に、上記においては、表示部５２は、親和度が高い程、動画像データのサイズを大きくし、かつ、滑らかさを向上して動画像データを表示すると説明したが、この発明においては、これに限らず、表示部５２は、親和度が高い程、動画像データのサイズだけを大きくして動画像データを表示してもよく、親和度が高い程、動画像データの滑らかさだけを向上させて動画像データを表示してもよい。
【００６９】
更に、この発明においては、リソース管理部１は、「品質決定手段」を構成する。
【００７０】
更に、この発明においては、通信調整部５１，６１は、「少なくとも１つの画像送信手段」を構成する。
【００７１】
更に、この発明においては、チャット部７は、「少なくとも１つの文字送受信手段」を構成する。
【００７２】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００７３】
この発明は、無線通信空間において各ユーザが興味ある通信相手の表情を見ながら通信相手と会話を行なうことが可能な無線通信システムに適用される。
【図面の簡単な説明】
【００７４】
【図１】この発明の実施の形態による無線通信システムの概略ブロック図である。
【図２】図１に示す端末装置の表示画面の模式図である。
【図３】親和度が変化した場合の端末装置の動作を示すフローチャートである。
【符号の説明】
【００７５】
１  リソース管理部、２  文字入力部、３  動画調整部、４  エージェント、５，６  データ処理部、７  チャット部、１０，２０，３０  端末装置、１１，２１，３１  カメラ、５０  無線通信空間、５１，６１  通信調整部、５２，６２  表示部、１００  無線通信システム。
【図１】
2005141300.tif 000003
【図２】
2005141300.tif 000004
【図３】
2005141300.tif 000005